(57)【要約】      （修正有）【課題】少ない発光体数で、楽器玩具全体が光るような演出が可能で、且つ、球切れのない光る楽器玩具を提供する。【解決手段】複数の鈴２２が取付けられ且つ透明素材で形成された環状の胴枠１４と、胴枠１４に所定の間隔で設けられた複数の切欠き部２０と、胴枠１４内に光を発光する発光手段とを構成した。【効果】発光手段が発光すると、透明素材内を進む光が切欠き部を照らし切欠き部で反射した発光手段からの光の一部が銅枠外部へと照射されることによって、恰も楽器玩具全体が光るような演出が可能となる。【選択図】図１
0003110465.tif 000002
【実用新案登録請求の範囲】
【請求項１】
複数の鈴が取付けられ且つ透明素材で形成された環状の胴枠と、前記胴枠に所定の間隔で設けられた複数の切欠き部と、前記胴枠内に光を発光する発光手段とを備え、前記発光手段が発光すると、前記透明素材内を進む前記発光手段からの光が前記切欠き部を照らし、切欠き部で反射した発光手段からの光の一部が胴枠外部へと照射されることを特徴とした楽器玩具。
【請求項２】
複数の鈴が取付けられ支え且つ透明素材で形成された弓状の胴枠と、前記胴枠に所定の間隔で設けられた複数の切欠き部と、前記胴枠の両端を結び使用者が把持可能にした把持部と、前記胴枠の両端に光を発光する発光手段とを備え、前記発光手段が発光すると、前記透明素材内を進む前記発光手段からの光が前記切欠き部を照らし、切欠き部で反射した前記発光手段からの光の一部が胴枠外部へと照射されることを特徴とした楽器玩具。
【請求項３】
請求項１又は２において、前記楽器玩具には、振動を検出し前記発光手段を発光させる振動スイッチが設けられていることを特徴とした楽器玩具。
【請求項４】
請求項１乃至３のいずれかにおいて、前記楽器玩具には、音を検出し前記発光手段を発光させる音検出手段が設けられていることを特徴とした楽器玩具。
【請求項５】
請求項１乃至４のいずれかにおいて、前記発光手段は、発光ダイオードであることを特徴とした楽器玩具。
【考案の詳細な説明】
【技術分野】
【０００１】
本考案は、楽器玩具に関するものである。
【背景技術】
【０００２】
従来、実開昭６１−１９５号公報「タンバリンにおける発光体取付け構造」にあるように、リング状の胴枠の周囲に発光体を備えたタンバリンがあった。また従来のタンバリンに使用された発光体として電球が使用され、タンバリンを揺らしたり叩いたりすると、電球が通常の寿命より短くなり電球が切れることがあった。また、電球を一定間隔で備えても、タンバリン全体が光るような演出はできないものであった。
【０００３】
そこで、少ない発光体で、楽器玩具全体が光るような演出が可能で、且つ、球切れのない光る楽器玩具が求められていた。
【特許文献１】実開昭６１−１９５号
【考案の開示】
【考案が解決しようとする課題】
【０００４】
そこで、本考案は、上記従来技術の問題点に斯かる実情に鑑みなされたもので、少ない発光体数で、楽器玩具全体が光るような演出が可能で、且つ、球切れのない光る楽器玩具を提供することを課題とする。
【課題を解決するための手段】
【０００５】
本考案は、複数の鈴が取付けられ且つ透明素材で形成された環状の胴枠と、前記胴枠に所定の間隔で設けられた複数の切欠き部と、前記胴枠内に光を発光する発光手段とを備え、前記発光手段が発光すると、前記透明素材内を進む前記発光手段からの光が前記切欠き部を照らし、切欠き部で反射した発光手段からの光の一部が胴枠外部へと照射されることを特徴とする。
【０００６】
本考案は、複数の鈴が取付けられ支え且つ透明素材で形成された弓状の胴枠と、前記胴枠に所定の間隔で設けられた複数の切欠き部と、前記胴枠の両端を結び使用者が把持可能にした把持部と、前記胴枠の両端に光を発光する発光手段とを備え、前記発光手段が発光すると、前記透明素材内を進む前記発光手段からの光が前記切欠き部を照らし、切欠き部で反射した前記発光手段からの光の一部が胴枠外部へと照射されることを特徴とする。
【０００７】
本考案は、請求項１又は２において、前記楽器玩具には、振動を検出し前記発光手段を発光させる振動スイッチが設けられていることを特徴とする。
【０００８】
本考案は、請求項１乃至３のいずれかにおいて、前記楽器玩具には、音を検出し前記発光手段を発光させる音検出手段が設けられていることを特徴とする。
【０００９】
本考案は、請求項１乃至４のいずれかにおいて、前記発光手段は、発光ダイオードであることを特徴とする。
【考案の効果】
【００１０】
請求項１及び２の考案によれば、環状又は弓状に形成された楽器玩具の胴枠を透明素材で形成し、該胴枠に所定の間隔で切欠き部を形成し、該胴枠内に光を発光する発光手段を備えることによって、発光手段が発光すると、透明素材内を進む光が切欠き部を照らし切欠き部で反射した発光手段からの光の一部が胴枠外部へと照射されることによって、恰も楽器玩具全体が光るような演出が可能な光る楽器玩具を提供することができる。
【００１１】
請求項３の考案によれば、楽器玩具には、振動を検出し発光手段を発光させる振動スイッチを備え、楽器玩具が揺らされたり、叩かれたりすると、その衝撃を検知し、その都度発光手段を発光させることができる。
【００１２】
請求項４の考案によれば、楽器玩具には、音を検出し発光手段を発光させる音検出手段を備え、該音検出手段が音を検出すると、その都度発光手段を発光させることができる。また音量によって、発光手段の光量を変化させることもできる。
【００１３】
請求項５の考案によれば、発光手段として発光ダイオードを使用することによって球切れのない光る楽器玩具を提供することができる。
【考案を実施するための最良の形態】
【００１４】
複数の鈴が取付けられ且つ透明素材で形成された環状の胴枠と、前記胴枠に所定の間隔で設けられた複数の切欠き部と、前記胴枠内に光を発光する発光手段と、振動を検出し前記発光手段を発光させる振動スイッチと、音を検出し前記発光手段を発光させる音検出手段で構成し、前記発光手段は、発光ダイオードとした楽器玩具。
【００１５】
また、複数の鈴が取付けられ支え且つ透明素材で形成された弓状の胴枠と、前記胴枠に所定の間隔で設けられた複数の切欠き部と、前記胴枠の両端を結び使用者が把持可能にした把持部と、前記胴枠の両端に光を発光する発光手段と、振動を検出し前記発光手段を発光させる振動スイッチと、音を検出し前記発光手段を発光させる音検出手段で構成し、前記発光手段は、発光ダイオードとした楽器玩具。
【実施例１】
【００１６】
図１及び図２を用いて楽器玩具の外形と構造を説明する。図１は、実施の例の一例である楽器玩具としてタンバリン１０を使用した際の外形を示す図である。また、図２は、実施の例の一例である楽器玩具としてタンバリン１０の正面図面である。楽器玩具としてのタンバリン１０は、弓形に形成された胴枠１４と、該胴枠１４の両端を結ぶ把持部１２からなり、タンバリン１０の外観はＤ型の形状に形成されている。また、タンバリン１０は、透明な樹脂素材で形成されている。
【００１７】
胴枠１４は、２つの側面部１６と接続部１７で形成されている。該側面部１６は、断面が半円形の棒を弓形形状に湾曲させた形状に形成され、各側面部１６は、半円形に形成された面がタンバリン１０の外部方向に向けて形成されている。また２つの側面部１６の間には間隔が設けられており、２つの側面部１６の所定の間隔位置に２つの側面部１６を接続する方形状の接続部１７が形成されている。このことにより、胴枠１４の側面は梯子状に形成され、接続部１７と２つの側面部１６に囲まれた開口である開口部１８が形成されるようになる。実施例では、胴枠１４には、４つの接続部１７と５つの開口部１８が形成されている。
【００１８】
また該２つの側面部１６が対向する内側の平面には、切欠き部２０が所定の間隔で複数形成されている。切欠き部２０のＶ字状の切欠きで一方の面は、垂直で、他方の面は、緩やかな斜面となる切欠き部２０に形成され、弓形に形成された胴枠１４の中央から両端に向けて緩やかな斜面となるように切欠き部２０が形成されている。
【００１９】
また、該２つの側面部１６の該各開口部１８の位置に、鈴２２を支持する鈴支持部１９がタンバリン１０の内側方向に形成されている。鈴支持部１９の形状は、三角形状で形成され、鈴支持部１９の一辺が開口部１８の一側面に固着されている。該鈴支持部１６の先端には、鈴２２を軸支する軸２４を軸着する軸穴が形成されている。
【００２０】
軸２４は、鈴支持部１９の先端に形成された軸穴に軸支されている。軸２４には、金属で形成された円板で２枚１組からなる鈴２２が２個緩く軸支されている。実施例では、５つの開口部１８に各々２個の鈴２２が設けられ、合わせて１０個の鈴２２が使用されている。タンバリン１０を揺らしたり叩いたりすると、金属で形成された円板同士が衝突し、音を発生させるようになる。
【００２１】
鈴支持部１９をタンバリン１０の内側方向に形成し、該鈴支持部１９によって鈴２２を支持することによって、図１に示すように鈴２２は、タンバリン１０のＤ型の外形から突出しないようになっており、このようにすることによって、タンバリン１０を持ち運びする際に、鈴２２が、周囲の物と触れ難くなるために、タンバリン１０自体が破損することを低くすると共に、静かにを持ち運ぶことが可能となる。
【００２２】
また、弓形に形成された各側面部１６の両端の内部には、発光手段がそれぞれ内設されている。実施の例では、弓状に形成された各側面部１６の両端に配置され、タンバリン１０全体で４ヵ所に発光手段が配設されている。
【００２３】
発光手段は、発光ダイオード３２を使用している。発光ダイオード３２を使用することによって、消費電力量を低く抑えることができると共に、球切れを無くすことができる。従来の発光するタンバリンにおいては、通常の電球が使用されており、揺らす、叩くなどの振動によって、通常の電球の寿命より短くなることが多々あったことから、発光ダイオード３２にすることによって、電球交換の手間を無くすことが可能である。発光ダイオード３２への電力供給は、把持部１２の内部に設けられた電池３４が行うようになっている。
【００２４】
また、胴枠１４の中間付近の接続部１７の内部に、振動スイッチ２６が内設されている。把持部１２からの最も遠い位置付近に振動スイッチ２６を配置することによって、使用者が把持部１２を把持しタンバリン１０を使用した際に、最も揺れが大きくなる為に、小さな揺れ及び衝撃であっても振動を検知できる。
【００２５】
振動スイッチ２６は、つる巻状のバネ３０と円筒形状の円筒２８で構成される。伝導体で形成されたバネ３０は、つる巻状となっており、円筒２８の内部に接触しないように配置され、円筒２８がバネ３０の一部を覆っている。振動スイッチ２６は、該バネ３０が振動によって円筒２８と接触することにより通電されるようになる。したがって、タンバリン１０が揺らされたり叩かれたりすると該バネ３０が振動し円筒２８と接触することによって、通電され発光手段は発光する。振動スイッチ２６の作動時間は、該バネ３０による接触による為に極めて短い作動時間となり、発光手段の発光時間も極めて短いものとなる。
【００２６】
また、振動スイッチ２６は、上述したスイッチの他に、振動を検知可能なあらゆるセンサーが使用可能である。また実施の例では、振動スイッチ２６の作動によって、発光手段を発光するようにしているが、別途発光スイッチを設け、該発光スイッチを作動させると、常時発光手段を発光するようにしても構わない。
【００２７】
また、タンバリン１０には、図示しないが音検出手段としてのマイクが内設されており、該マイクが音を検出すると、発光手段は、発光するようになっている。これにより、例えばタンバリン１０自体を操作しない場合においても、発光手段を発光させることができ、インテリア性に優れた楽器玩具とすることができる。また、音検出手段としてマイクを使用した例を示したが、その他にもピエゾ素子を使用し音を検出するようにしても構わない。
【００２８】
図３を用いて、発光の仕組みを説明する。発光手段である発光ダイオード３２が発光すると、透明に形成された胴枠１４内を光が直進し、胴枠１４に形成された切欠き部２０を照射するようになる。切欠き部２０は、緩やかな斜面で形成されており、該斜面によって光が反射し、恰も該斜面が面発光しているかのように見える。また、発光ダイオード３２からの光の一部は、該斜面によって反射されるが、該斜面を避けて進んだ光や該斜面を貫通した光が、次の切欠き部２０である斜面を照射するようになっている。このように発光ダイオード３２の指向角の範囲内に光を反射する面を形成することによって様々に光らせることができる。
【００２９】
上述のように胴枠１４に形成された複数の切欠き部２０の端面が光ることに加え、胴枠１４自体が透明で形成されている為に、タンバリン１０全体が光っているような演出が可能である。
【００３０】
このようにタンバリン１０全体が光るような演出を行うことによって、カラオケボックスなどの薄暗い室内などでタンバリン１０を使用することによって、その演出効果を増すことが可能となる。
【００３１】
また、実施例で説明するタンバリン１０は、Ｄ型に形成されたものであるが、環状に形成された円形のタンバリンでも実施可能である。
【００３２】
また図４に示すように、楽器玩具の他の例として、把持可能なベルなどに使用することも可能である。把持可能なベルは、半円形状に形成された胴枠１４と、該胴枠１４の端部に湾曲した棒の両端が固着された把持部１２で形成されている。該胴枠１４の外周に、複数の鈴２２が等間隔に固着されており、把持可能なベル自体を振動させると、複数の鈴２２が鳴るようになっている。
【００３３】
また該胴枠１４の内部には、発光手段である発光ダイオード３２が内設され、該胴枠１４の外周の周縁に、複数の切欠き部２０が形成されている。把持可能なベル自体を振ると、発光手段が発光し、前記複数の切欠き部２０によって反射され把持可能なベルを光らせることが可能となる。このよう、楽器玩具自体を揺らして使用する楽器であっても構わない。
【００３４】
この以上説明したように構成することにより、少ない発光体数で、楽器玩具全体が光るような演出が可能で、且つ、球切れのない光る楽器玩具を提供することを課題とする。ことができる。また、好ましい実施例を挙げて本発明を説明したが、本発明はその実施例に限定されるものではなく、実用新案登録請求の範囲に記載した技術的範囲内で種々に改変できる。
【図面の簡単な説明】
【００３５】
【図１】本考案の一実施例である楽器玩具であるタンバリンの外観を示す図である。
【図２】本考案の一実施例である楽器玩具であるタンバリンの側面応援用具の分解した斜視図面である。
【図３】本考案の一実施例である楽器玩具であるタンバリンの発光の仕組みを示す概念図である。
【図４】本考案の一実施例である楽器玩具である把持可能なベルの外観を示す図である。
【符号の説明】
【００３６】
１０    タンバリン
１２    把持部
１４    胴枠
１６    側面部
１７    接続部
１８    開口部
１９    鈴支持部
２０    切欠き部
２２    鈴
２４    軸
２６    振動スイッチ
２８    円筒
３０    バネ
３２    発光ダイオード
３４    電池
【図１】
0003110465.tif 000003
【図２】
0003110465.tif 000004
【図３】
0003110465.tif 000005
【図４】
0003110465.tif 000006